(57)【特許請求の範囲】
【請求項１】
放送波分配器に使用されるトランス装置であって、分配トランスと複数のインピーダンス変成トランスとが信号線経路に付加されて回路基板に搭載される放送波分配器用トランス装置において、分配トランスは一端から他端へ信号線Ｌ１が挿通され、信号線Ｌ１は分配トランスの他端側のインピーダンス変成トランスの内部を捲回して、同インピーダンス変成トランスへ挿通された別の信号線Ｌ２と捩れられており、分配トランスは他端から一端へ信号線Ｌ３が挿通され、信号線Ｌ３は分配トランスの一端側のインピーダンス変成トランスの内部を捲回して、同インピーダンス変成トランスへ挿通された別の信号線Ｌ４と捩れられており、信号線Ｌ１は分配トランスと分配トランスの他端側のインピーダンス変成トランスとの間で断線接続作業を行なうこと無く組み立て当初から連続し、さらに、信号線Ｌ３は分配トランスと分配トランスの一端側のインピーダンス変成トランスとの間で断線接続作業を行なうこと無く組み立て当初から連続したものであって、分配トランスに使用するフェライトコアの材質として、放送波の伝送周波数帯域の下限から上限に到るにつれ、透磁率の無損失項成分の値が周波数に関して比例して減少するような材質を採用し、使用する信号線Ｌ１、Ｌ２、Ｌ３、Ｌ４の導線径ごとに、所望のインピーダンス値に略正比例して分配トランスの長さを決定したことを特徴とする放送波分配器用トランス装置。
【請求項２】
分配トランスに使用するフェライトコアとしてビーズタイプを採用し、インピーダンス変成トランスに使用するフェライトコアとしてバルーンタイプを採用したことを特徴とする請求項１記載の放送波分配器用トランス装置。
【発明の詳細な説明】
【発明の属する技術分野】
【０００１】
本発明は、テレビ放送波を受信して得られる受信信号を分配する分配器に使用されるトランス装置であって、分配トランスとこの分配トランスの出力側に複数配置されるインピーダンス変成トランスとが信号線経路に付加されて回路基板に搭載される放送波分配器用トランス装置に関する。
【従来の技術】
【０００２】
従来の放送波分配器用トランス装置を、図５乃至図７を用いて説明する。図５は４分配器の回路図、図６と図７は放送波分配器用トランス装置をプリント基板等の回路基板に搭載した状態をあらわす斜視図である。
【０００３】
一般に、テレビ放送波を受信して得られる受信信号を分配する分配器には、低周波から高周波まで広帯域に伝送できることが要求される。このため、分配器に搭載するトランス装置には、一般的にフェライト捲線タイプのトランスを用いる。
【０００４】
図５の４分配器の回路図では、放送波を受信して得られる受信信号を分配する役割をもつ分配トランス１が１つと、分配トランス１で信号分配した後段にそれぞれ配置されるインピーダンス変成トランス２、２とが、用いられる。
分配トランス１とインピーダンス変成トランス２、２との接続については、分配トランス１と、２つのインピーダンス変成トランス２が並列に接続された部分とが、直列に接続された構成である。従って、図５の４分配に起因するインピーダンスミスマッチングを防ぐためには、図５のａ点のインピーダンス値を、図５のｂ点のインピーダンス値の２倍の値になるよう、設計しておく必要がある。
このような分配トランス１とインピーダンス変成トランス２、２とは、図６に示すように、接続先であるランドＰ1とランド間パターンＰ２とが設けられた回路基板Ｐに固定され、信号線の端子がランドＰ1に挿入されて半田付けされることによって、回路基板Ｐの別の回路（不図示）と接続し、分配器の一部として機能する。なお、分配トランス１とインピーダンス変成トランス２、２とランドＰ1とランド間パターンＰ２とは、同一片面に配置されない接続仕様のものも存在する。
【０００５】
図５と図６とを照合してみると、図５のａ点のインピーダンス値に相当するのは、図６ではランドＰ1とランド間パターンＰ２である。つまり、ランドＰ1とランド間パターンＰ２のインピーダンス値を、図５のｂ点のインピーダンス値の２倍の値になるよう、設計しておく必要がある。
【発明が解決しようとする課題】
【０００６】
しかしながら、上述のような従来の放送波分配器用トランス装置においては、ランドＰ1とランド間パターンＰ２のインピーダンス値を高く設計することは、ランドＰ1とランド間パターンＰ２の形状設計を工夫しても、一般に困難であり、このためインピーダンスミスマッチングを防ぎきれない場合が生ずる。しかも、ランドＰ1周辺での半田付け作業が要求されるが、一般に分配トランス１とインピーダンス変成トランス２、２とは、小型部品であり、しかも全体の小型化のために、寄せて配置することが多い。すると、必然的にランドＰ1周辺での半田付け作業がしにくくなる。このように半田の付け方が悪いと、インピーダンスミスマッチングを招くこともある。また、このように組み立ての工数がかかるので組み立て性が悪いという欠点もあった。
【０００７】
このような問題点を回避すべく、図７に示すように、分配トランス１とインピーダンス変成トランス２、２との間の接続は、パターンなど介さずに分配トランス１とインピーダンス変成トランス２、２とをそれぞれ有線の信号線経路Ｌで直接捲回もしくは挿通したあと、互いの信号線経路Ｌ間を半田付けで接続することも行なわれている。しかし図６のようなパターン接続を採用するよりもパターン配線に比べて断線するおそれがあるため、信頼性が低く、しかも経年性能が劣化するおそれがあった。
【０００８】
本発明は上記課題を解決する為のものであり、その目的とするところは、組み立ての工数を極力抑え、接続の信頼性が高く、しかもインピーダンスミスマッチングを簡単な方法で極力防げるような放送波分配器用トランス装置を提供することにある。
【課題を解決するための手段】
【０００９】
上記問題点を解決するため、請求項１記載の放送波分配器用トランス装置にあっては、放送波分配器に使用されるトランス装置であって、分配トランスと複数のインピーダンス変成トランスとが信号線経路に付加されて回路基板に搭載される放送波分配器用トランス装置において、分配トランスは一端から他端へ信号線Ｌ１が挿通され、信号線Ｌ１は分配トランスの他端側のインピーダンス変成トランスの内部を捲回して、同インピーダンス変成トランスへ挿通された別の信号線Ｌ２と捩れられており、分配トランスは他端から一端へ信号線Ｌ３が挿通され、信号線Ｌ３は分配トランスの一端側のインピーダンス変成トランスの内部を捲回して、同インピーダンス変成トランスへ挿通された別の信号線Ｌ４と捩れられており、信号線Ｌ１は分配トランスと分配トランスの他端側のインピーダンス変成トランスとの間で断線接続作業を行なうこと無く組み立て当初から連続し、さらに、信号線Ｌ３は分配トランスと分配トランスの一端側のインピーダンス変成トランスとの間で断線接続作業を行なうこと無く組み立て当初から連続したものであって、分配トランスに使用するフェライトコアの材質として、放送波の伝送周波数帯域の下限から上限に到るにつれ、透磁率の無損失項成分の値が周波数に関して比例して減少するような材質を採用し、使用する信号線Ｌ１、Ｌ２、Ｌ３、Ｌ４の導線径ごとに、所望のインピーダンス値に略正比例して分配トランスの長さを決定したことを特徴とする。
【００１０】
請求項２記載の放送波分配器用トランス装置にあっては、請求項１記載の放送波分配器用トランス装置において、分配トランスに使用するフェライトコアとしてビーズタイプを採用し、インピーダンス変成トランスに使用するフェライトコアとしてバルーンタイプを採用したことを特徴とする。
【発明の実施の形態】
【００１１】
以下、本発明に係る放送波分配器用トランス装置の一実施の形態を図１乃至図５に基づいて説明する。図１は放送波分配器用トランス装置の要部構成の説明図で、(a)は平面図、(b)は側面図、(c)は下面図である。図２は放送波分配器用トランス装置をプリント基板等の回路基板に搭載した状態をあらわす斜視図である。図３は分配トランスとインピーダンス変成トランスとのそれぞれに用いるフェライトコアの望ましい材質をあらわす、周波数（横軸）対透磁率（縦軸）の特性を模式的にあらわした特性グラフである。図４は分配トランスに用いるフェライトコアの望ましい長さＬを、所望のインピーダンスＺ0を以って決定する指標となる特性グラフであり、信号線の線径をパラメータにして、フェライトコアの長さＬ（横軸）対インピーダンスＺ （縦軸）の特性を模式的にあらわした特性グラフである。図５は従来例にも説明した回路図例である。
【００１２】
図１に示すように、放送波分配器用トランス装置は、フェライトコアとしてビーズ形を採用した分配トランス１と、フェライトコアとしてバルーン形を採用したインピーダンス変成トランス２、２と、信号線Ｌ1、Ｌ2、Ｌ3、Ｌ4とを備えて構成される。
【００１３】
分配トランス１は一端から他端へ信号線Ｌ1が挿通される。信号線Ｌ1は分配トランス１の他端側のインピーダンス変成トランス２の内部を捲回して、同トランス２へ挿通された別の信号線Ｌ2と捩れられている。また、分配トランス１は他端から一端へ信号線Ｌ3が挿通される。信号線Ｌ3は分配トランス１の一端側のインピーダンス変成トランス２の内部を捲回して、同トランス２へ挿通された別の信号線Ｌ4と捩れられている。
【００１４】
このような放送波分配器用トランス装置は、図２に示すように、従来例のようにパターン接続することなく、しかも信号線Ｌ1、 Ｌ3に半田付けなどの接続作業も必要なく、プリント基板などの回路基板Ｐに、接続されて搭載される。
【００１５】
さて、このような分配トランス１と、インピーダンス変成トランス２、２とは、図３、図４を用いて以下に説明するように、採用するフェライトコアの材質と捲線径と形状が設計上のパラメータとなる。本実施例では、分配トランス１のフェライトコアの形状はビーズ形を、インピーダンス変成トランス２、２のフェライトコアの形状は、バルーン形を採用しており、ともに、形状加工しやすいという利点がある。
【００１６】
フェライトコアの材質については、図３に示すような特性をとらえる必要がある。分配トランス１に採用するフェライトコアの透磁率の無損失項成分の値を符号μ′、インピーダンス変成トランス２、２に採用するフェライトコアの透磁率の無損失項成分の値を符号μ″であらわしている。分配トランス１に採用するフェライトコアは、広帯域の周波数にわたってインピーダンス値が一定にあるように、透磁率減衰周波数ｆｔが必要周波数帯域の下限より低く、しかも透磁率の無損失項成分の値μ′の値が高周波域まで一様減少を続けるものが好ましい。これは、インピーダンス値Ｚと透磁率の無損失項成分の値μ′との関係において、下記式（１）が成立するためである。
【００１７】
Ｚ ∝ μ′ω   ……式（１）
ただし、ωは周波数値をあらわす。
【００１８】
一方、インピーダンス変成トランス２、２に採用するフェライトコアについては、透磁率の無損失項成分の値μ″であらわしており、透磁率の無損失項成分の値μ″の値が放送波の伝送周波数帯域の下限から上限において周波数ωに関して比例して減少するものの放送波の伝送周波数帯域の下限以上の帯域では分配トランス１用フェライトコアの透磁率の値を常に上回るような材質を採用している。
【００１９】
フェライトコアの捲線径については、図４に示すような特性をとらえる必要がある。すなわち、信号線の線径をパラメータにして、フェライトコアの長さＬ（横軸）対インピーダンスＺ （縦軸）の特性は、略比例関係にあるが、所望のインピーダンス値Ｚ0を一定にしてみると、信号線Ｌ1、Ｌ2、Ｌ3、Ｌ4の線径φが細いものから太いものになるにつれ、フェライトコアの長さＬは長くなる。この特性に従い、所望のインピーダンス値Ｚ0を基にして、フェライトコアの長さＬを決定すればよい。
【００２０】
このように、放送波分配器に使用されるトランス装置であって、分配トランス１と複数のインピーダンス変成トランス２、２とが信号線経路Ｌ1、Ｌ2、Ｌ3、Ｌ4に付加されて回路基板Ｐに搭載される放送波分配器用トランス装置において、分配トランス１は一端から他端へ信号線Ｌ１が挿通され、信号線Ｌ１は分配トランス１の他端側のインピーダンス変成トランス２の内部を捲回して、同インピーダンス変成トランス２へ挿通された別の信号線Ｌ２と捩れられており、分配トランス１は他端から一端へ信号線Ｌ３が挿通され、信号線Ｌ３は分配トランス１の一端側のインピーダンス変成トランス２の内部を捲回して、同インピーダンス変成トランス２へ挿通された別の信号線Ｌ４と捩れられており、信号線Ｌ１は分配トランス１とこの分配トランス１の他端側のインピーダンス変成トランス２との間で断線接続作業を行なうこと無く組み立て当初から連続し、さらに、信号線Ｌ３は分配トランス１とこの分配トランス１の一端側のインピーダンス変成トランス２との間で断線接続作業を行なうこと無く組み立て当初から連続したものであって、分配トランス１に使用するフェライトコアの材質として、放送波の伝送周波数帯域の下限から上限に到るにつれ、透磁率の無損失項成分の値が周波数に関して比例して減少するような材質を採用し、使用する信号線Ｌ１、Ｌ２、Ｌ３、Ｌ４のそれぞれの導線径φごとに、所望のインピーダンス値Ｚ0に略正比例して分配トランス１の長さＬを決定したため、組み立ての工数を極力抑え、接続の信頼性が高く、しかもインピーダンスミスマッチングを簡単な方法で極力防げるような放送波分配器用トランス装置を構成できる。
【００２１】
また、分配トランス１に使用するフェライトコアとしてビーズタイプを採用し、インピーダンス変成トランス２、２に使用するフェライトコアとしてバルーンタイプを採用したため、形状加工しやすいフェライトコアを使用できる。
【発明の効果】
【００２２】
請求項１記載の発明にあっては、放送波分配器に使用されるトランス装置であって、分配トランスと複数のインピーダンス変成トランスとが信号線経路に付加されて回路基板に搭載される放送波分配器用トランス装置において、分配トランスは一端から他端へ信号線Ｌ１が挿通され、信号線Ｌ１は分配トランスの他端側のインピーダンス変成トランスの内部を捲回して、同インピーダンス変成トランスへ挿通された別の信号線Ｌ２と捩れられており、分配トランスは他端から一端へ信号線Ｌ３が挿通され、信号線Ｌ３は分配トランスの一端側のインピーダンス変成トランスの内部を捲回して、同インピーダンス変成トランスへ挿通された別の信号線Ｌ４と捩れられており、信号線Ｌ１は分配トランスと分配トランスの他端側のインピーダンス変成トランスとの間で断線接続作業を行なうこと無く組み立て当初から連続し、さらに、信号線Ｌ３は分配トランスと分配トランスの一端側のインピーダンス変成トランスとの間で断線接続作業を行なうこと無く組み立て当初から連続したものであって、分配トランスに使用するフェライトコアの材質として、放送波の伝送周波数帯域の下限から上限に到るにつれ、透磁率の無損失項成分の値が周波数に関して比例して減少するような材質を採用し、使用する信号線Ｌ１、Ｌ２、Ｌ３、Ｌ４の導線径ごとに、所望のインピーダンス値に略正比例して分配トランスの長さを決定したため、組み立ての工数を極力抑え、インピーダンスミスマッチングを簡単な方法で極力防げるような放送波分配器用トランス装置を提供できる。
【００２３】
請求項２記載の発明にあっては、請求項１記載の発明の効果に加えて、分配トランスに使用するフェライトコアとしてビーズタイプを採用し、インピーダンス変成トランスに使用するフェライトコアとしてバルーンタイプを採用したため、形状加工しやすいフェライトコアを使用できる。
【図面の簡単な説明】
【図１】本発明に係る一実施形態の放送波分配器用トランス装置の要部構成の説明図で、 (a)は平面図、(b)は側面図、(c)は下面図である。
【図２】同上の放送波分配器用トランス装置をプリント基板等の回路基板に搭載した状態をあらわす斜視図である。
【図３】  同上の分配トランスとインピーダンス変成トランスとのそれぞれに用いるフェライトコアの望ましい材質をあらわす、周波数（横軸）対透磁率の無損失項成分（縦軸）の特性を模式的にあらわした特性グラフである。
【図４】  同上の分配トランスに用いるフェライトコアの望ましい長さＬを、所望のインピーダンスＺ0を以って決定する指標となる特性グラフであり、信号線の線径をパラメータにして、フェライトコアの長さＬ（横軸）対インピーダンスＺ （縦軸）の特性を模式的にあらわした特性グラフである。
【図５】  従来の放送波分配器用トランス装置を説明する図であり、４分配器の回路図である。
【図６】同上の放送波分配器用トランス装置をプリント基板等の回路基板に搭載した状態をあらわす斜視図である。
【図７】  従来の別タイプのものの斜視図である。
【符号の説明】
１   分配トランス
２、２ インピーダンス変成トランス
Ｌ   分配トランスの長さ
Ｌ1、Ｌ2、Ｌ3、Ｌ4 信号線経路
Ｌ1、 Ｌ3 信号線
Ｐ  回路基板
Ｚ0  所望のインピーダンス値
μ′μ″ 透磁率の無損失項成分
ω  周波数
φ  導線径
【図１】
0004441990.tif 000002
【図２】
0004441990.tif 000003
【図３】
0004441990.tif 000004
【図４】
0004441990.tif 000005
【図５】
0004441990.tif 000006
【図６】
0004441990.tif 000007
【図７】
0004441990.tif 000008